(57)【要約】      （修正有）【課題】下部に開口部を有し、自転車全体を袋状で覆い被せて使用する自転車カバーに関し、自転車カバー天面に複数個の取っ手を設け、自転車カバー自体を取り外ししやすく、又乾かしやすい取っ手付自転車カバーを提供する。【解決手段】下部に開口部５を有する袋状の自転車の前輪６から後輪７まで覆い被せて使用する自転車カバーにおいて、自転車カバーの天面４に複数個の取っ手３、３Ａを設け、自転車カバー本体を簡単に自転車から取り外すことができる。また、自転車カバーの天面４に設けられる取っ手３及び取っ手３Ａのそれぞれにおける一端部は、直接縫い付けた縫製部とし、もう一端部は、脱着可能な面ファスナー等の手段で構成し、風等に飛ばされる事無く、取っ手の脱着部を外して物干し竿や面格子、自転車置き場の手すり部等様々な箇所に引っ掛けて乾かすことの出来るようにした。【選択図】図１
0003184048.tif 000002
【実用新案登録請求の範囲】
【請求項１】
下部に開口部（５）を有する袋状の自転車の前輪（６）から後輪（７）まで覆い被せて使用する自転車カバーにおいて、前記自転車カバーの天面（４）に複数個の取っ手（３）、（３Ａ）を設けたことを特徴とする取っ手付自転車カバー（１）。
【請求項２】
前記自転車カバーの天面（４）において、前輪部付近（１０）及び後輪部付近（１１）に２ヶ所の取っ手（３）及び取っ手（３Ａ）を設けたことを特徴とする請求項１に記載の取っ手付自転車カバー（１）。
【請求項３】
前記保持自転車カバーの天面（４）において、ほぼ中央のサドル部付近（１２）に２ヶ所の取っ手（３）及び取っ手（３Ａ）を設けたことを特徴とする請求項１に記載の取っ手付自転車カバー（１）。
【請求項４】
前記自転車カバーの天面（４）に設けられる取っ手（３）及び取っ手（３Ａ）のそれぞれにおける一端部（１３）は、自転車カバー本体（２）に直接縫い付けた縫製部（９）とし、もう一端部（１３Ａ）は、自転車カバー本体（２）と脱着可能な手段で構成されたことを特徴とする請求項１、２又は３に記載の取っ手付自転車カバー（１）。
【請求項５】
前記取っ手（３）及び取っ手（３Ａ）の自転車カバー本体（２）と脱着可能な手段が、面ファスナー、ボタン又はホックであることを特徴とする請求項４に記載の取っ手付自転車カバー（１）。
【考案の詳細な説明】
【技術分野】
【０００１】  本考案は、下部に開口部を有し、自転車全体を袋状で覆い被せて使用する自転車カバーに関し、自転車カバー天面に複数個の取っ手を設け、自転車カバー自体を取り外ししやすく、又乾かしやすい取っ手付自転車カバーに関するものである。
【背景技術】
【０００２】  従来、自転車カバーとしては、放水や防塵のために、ポリエステル生地に撥水加工した下部に開口部を有する袋状のものが知られている。【０００３】  一方、自転車カバーを装着後、雨や風等でカバー自体が飛ばされないように後輪部付近の開口部に紐体を設けて巾着状に絞れるようにしたり、下部真中の開口部に面ファスナーを設けたりした商品が知られている。
【考案の概要】
【考案が解決しようとする課題】
【０００４】  しかしながら先述の自転車カバーを取り外して自転車に乗る際に、自転車カバーが雨に濡れたり、埃まみれになっている場合、例えば片方の手で前カゴやハンドル付近の自転車カバーを握り、もう一方の手で後カゴや後部座席付近の自転車カバーを握る等して自転車カバーを取り外していた。【０００５】  取り外す際にはしっかりと自転車カバーを掴んで自転車から取り外さねばならず、掴みどころが悪いと自転車カバーに付着した水滴や埃等が服や身体を濡らしたり汚したりする場合が多々有った。【０００６】  特に前カゴや後カゴが雨の重みで水たまりとなっている場合も多く、その際にはかなり慎重に自転車カバーを取り外さなければならない欠点が有った。【０００７】  又、例えば雨に濡れた自転車カバーは、乾かすとしても大きな袋状となって形成されており、使用していない他の自転車に被せたり、門柱等に洗濯バサミ等を使用して引っ掛けておく程度で乾かすことしか出来ない問題点も有った。
【問題を解決するための手段】
【０００８】  上記課題を解決するために本考案は、下部に開口部（５）を有する袋状の自転車の前輪（６）から後輪（７）まで覆い被せて使用する自転車カバーにおいて、前記自転車カバーの天面（４）に複数個の取っ手（３）、（３Ａ）を設けたことを特徴としている取っ手付自転車カバー（１）である。
【０００９】  更に、前記自転車カバーの天面（４）において、前輪部付近（１０）及び後輪部付近（１１）に２ヶ所の取っ手（３）及び取っ手（３Ａ）を設けたことを特徴としている取っ手付自転車カバー（１）である。
【００１０】  又、前記保持自転車カバーの天面（４）において、ほぼ中央のサドル部付近（１２）に２ヶ所の取っ手（３）及び取っ手（３Ａ）を設けたことを特徴としている取っ手手付自転車カバー（１）である。
【００１１】  一方、前記自転車カバーの天面（４）に設けられる取っ手（３）及び取っ手（３Ａ）のそれぞれにおける一端部（１３）は、自転車カバー本体（２）に直接縫い付けた縫製部（９）とし、もう一端部（１３Ａ）は、自転車カバー本体（２）と脱着可能な手段で構成されたことを特徴としている取っ手付自転車カバー（１）である。
【００１２】  なお、前記取っ手（３）及び取っ手（３Ａ）の自転車カバー本体（２）と脱着可能な手段が、面ファスナー、ボタン又はホックであることを特徴としている取っ手付自転車カバー（１）である。
【考案の効果】
【００１３】  本考案の取っ手付自転車カバーは、以上のような構成であるため、自転車カバーを取り外して自転車に乗る際に、自転車カバーが雨で濡れていたり、埃まみれになっていても、自転車カバーの天面に複数個の取っ手を設けているため、手で取っ手部分を掴んで取り外すことが出来るため、しっかりと自転車カバーを掴めるため簡単に取り外すことが出来、服や身体を濡らしたり汚す事が無くなる優れたものである。
【００１４】  もちろん取り外す方向によって取っ手を設ける部位を前輪部付近及び後輪部付近の２ヶ所にしたり、又は、ほぼ中央のサドル部付近に２ヶ所とすることで使用者に使いやすい優れたものとなる。
【００１５】  なお、雨に濡れた自転車カバーにおいては、取っ手のそれぞれにおける一端部が自転車カバー本体に直接縫い付けた縫製部と、もう一端部が自転車カバー本体と例えば面ファスナー等の簡単に脱着可能な手段で構成されているため、前記取っ手部の脱着部を外して、物干し竿、面格子、自転車置き場の手すり等に引っ掛けて風に飛ばされる事無く乾かす事の出来る副次的効果も得られるものとなる。
【００１６】  脱着可能な手段としては、面ファスナーだけでなく、ボタンやホックの手段として構成されても良い。
【図面の簡単な説明】
【００１７】
【図１】本考案の取っ手付自転車カバーの使用時の一実施例を示す斜視図である。
【図２】本考案の図１の状態を上から見た平面図である。
【図３】本考案の取っ手部分の詳細を示す斜視図である。
【図４】ハンドルに装着する上部カバー及び下部カバーの背面図である。
【図５】本考案の別の実施態様を示す上から見た平面図である。
【考案を実施するための形態】
【００１８】  本考案における取っ手付自転車カバーの大きさ、形状、デザイン、材質、製造方法等は特に限定されないが、通常は撥水加工を施した防水性のあるポリエステル生地を縫製の手段で縫い合わせて大量生産の出来る縫製品が好ましい。
【実施例】
【００１９】  以下、本考案の一実施例を図１、図２、図３及び図４で説明するが、これによって本考案は何ら限定されるものではない。【００２０】  図１は、本考案の取っ手付自転車カバー（１）の使用時の一例を示す斜視図である。自転車カバー本体（２）の下部には開口部（５）が有り、自転車全体を覆い被せて取り付けている。その際前輪（６）が有る自転車カバー本体（２）の上部の天面（４）付近には一つの取っ手（３）が、後輪（７）が有る自転車カバー本体（２）の上部の天面（４）付近には別のもう一つの取っ手（３Ａ）が設けられているのがわかる。【００２１】  図２は、図１で示す本考案の取っ手付自転車カバー（１）を天面（４）から見た平面図を示し、前輪部付近（１０）に一つの取っ手（３）が、後輪部付近（１１）にはもう一つの取っ手（３Ａ）が設けられているのがわかる。【００２２】  図３は、本考案の取っ手（３）及び取っ手（３Ａ）の構造の一例を示した斜視図である。自転車カバー本体（２）に取っ手（３）の一端部（１３）が縫製部（９）において縫い付けて一体化されている。そして反対側のもう一端部（１３Ａ）においては、自転車カバー本体（２）に予め設けられている面ファスナー（８Ａ）と脱着可能なように面ファスナー（８）が設けられている。【００２３】  図４は、本考案の取っ手付自転車カバー（１）において、自転車カバー本体（２）のほぼ中央のサドル付近（１２）の側面近くの天面（４）にそれぞれ一つの取っ手（３）及びもう一つの取っ手（３Ａ）が設けられていることを示している。
【符号の説明】
【００２４】  １  取っ手付自転車カバー
２  自転車カバー本体
３、３Ａ  取っ手
４  天面
５  開口部
６  前輪
７  後輪
８、８Ａ  面ファスナー
９  縫製部
１０  前輪付近部
１１  後輪付近部
１２  サドル付近部
１３、１３Ａ  一端部
【図１】
0003184048.tif 000003
【図２】
0003184048.tif 000004
【図３】
0003184048.tif 000005
【図４】
0003184048.tif 000006
【手続補正書】
【提出日】平成25年4月16日(2013.4.16)
【手続補正１】
【補正対象書類名】明細書
【補正対象項目名】００１７
【補正方法】変更
【補正の内容】
【００１７】
【図１】本考案の取っ手付自転車カバーの使用時の一実施例を示す斜視図である。
【図２】本考案の図１の状態を上から見た平面図である。
【図３】本考案の取っ手部分の詳細を示す斜視図である。
【図４】本考案の別の実施態様を示す上から見た平面図である。